(57)【特許請求の範囲】
【請求項１】
スピーカユニットと、前記スピーカユニットを内部に収納すると共に前記スピーカユニットから出力された音声を外部に放出する放音面を有してなる筐体と、前記筐体の外面に着脱自在とされた環状部材と、を有するスピーカ部を備え、
前記筐体は、前記外面に形成された周溝を有する第１の周状係合部を備え、
前記環状部材は、内部に空間を有し径の外方向に向けて突出する突出部と、前記放音面側である一端面側の開口部に設けられ、前記第１の周状係合部と係合する周突条を有する第２の周状係合部と、を備え、
前記第２の周状係合部の前記周突条が前記第１の周状係合部の前記周溝の周壁部に当接する範囲の径方向長さについては、前記放音面から近い側における前記径方向長さよりも前記放音面から遠い側における前記径方向長さの方が長いことを特徴とするヘッドホン。
【発明の詳細な説明】
【技術分野】
【０００１】
本発明は、本体を耳介の内側に装着するタイプのヘッドホンに係り、良好な装着感が得られ、装着した本体が耳介から脱落しにくいヘッドホンに関する。
【背景技術】
【０００２】
携帯型音楽再生装置などのポータブル再生機器の普及に伴い、その装置に接続して音楽などを聴取するためのヘッドホンの市場も急速に拡大している。
このヘッドホンとしては、軽量であって可搬性に優れることから、使用者の耳介の内側に装着するタイプ（通常、インナーイヤータイプと称される）が広く普及している。
また、このようなヘッドホンは、本体部から突出する筒状放音部とこの筒状放音部に取り付けたイヤーピースとを備え、そのイヤーピースを外耳道内に挿入して使用するタイプと、外耳道内に挿入する部分を持たず、音声が本体部から直接放音され、本体部のみを耳介に装着して使用するタイプと、に大分類される。
特に、前者はカナル型などと称されて後者と区別される。
【０００３】
ここで、インナーイヤータイプのヘッドホンの内、カナル型ではない後者のヘッドホンについて説明すると、そのヘッドホンは、電気信号を音声に変換するスピーカユニット及びそのスピーカユニットを収納したハウジングを有する本体部と、本体部から延出し外部機器からの音声信号をスピーカユニットに供給するコードと、を備え、ハウジングの外形が、耳介の内側に保持可能な形状とされて構成されるのが一般的である。
【０００４】
また、音洩れ防止や装着感の向上のため、ハウジングの耳介に当たる部分に弾力性を有するパッドを備えたヘッドホンもあり、そのパッドの内部に空隙を形成したヘッドホンの例が特許文献１に記載されている。
【０００５】
【特許文献１】特開平１１−２２５３８７号公報
【発明の開示】
【発明が解決しようとする課題】
【０００６】
上述したような、カナル型ではないヘッドホンは、外耳道内にイヤーピースを挿入するものではなく、ハウジング部のみで耳介の内側に良好に保持されなければならない。
また、保持されるべき耳介の形や大きさは個人差が大きく、ヘッドホンの装着感や外れ易さに差が出やすい。
【０００７】
特許文献１に記載されたヘッドホン（イヤホン）は、イヤーパッドを備えているので、装着感については比較的良好と思われるものの、本体部に対して、耳介から外そうとする方向の力が加わった際に、それを阻止するように耳介に引っ掛かる部分が本体部にないので、外れ易さについては改善の余地がある。
【０００８】
また、イヤーパッドについては、装着感が良好と感じる大きさや柔らかさが、使用者毎に大きく異なるので、できるだけ多くのユーザに、良好な装着感と外れにくさと、を実感してもらえるヘッドホンであることが望まれる。
また、イヤーパッドは、耳介に直接触れる部材でもあるので、きれいで清潔な状態に維持できるヘッドホンであることが望まれる。
【０００９】
そこで、本発明が解決しようとする課題は、多くのユーザが良好な装着感と外れにくさとを実感できるヘッドホンを提供すること、また、イヤーパッドを常にきれいで清潔な状態に維持できるヘッドホンを提供することにある。
【課題を解決するための手段】
【００１０】
上記の課題を解決するために、本願発明は手段として次の１）の構成を有する。
１）スピーカユニットと、前記スピーカユニットを内部に収納すると共に前記スピーカユニットから出力された音声を外部に放出する放音面を有してなる筐体と、前記筐体の外面に着脱自在とされた環状部材と、を有するスピーカ部を備え、前記筐体は、前記外面に形成された周溝を有する第１の周状係合部を備え、前記環状部材は、内部に空間を有し径の外方向に向けて突出する突出部と、前記放音面側である一端面側の開口部に設けられ、前記第１の周状係合部と係合する周突条を有する第２の周状係合部と、を備え、前記第２の周状係合部の前記周突条が前記第１の周状係合部の前記周溝の周壁部に当接する範囲の径方向長さについては、前記放音面から近い側における前記径方向長さよりも前記放音面から遠い側における前記径方向長さの方が長いことを特徴とするヘッドホンである。
【発明の効果】
【００１１】
本発明によれば、多くのユーザが良好な装着感と外れにくさとを実感でき、また、イヤーパッドを常にきれいで清潔な状態に維持できる、という効果を奏する。
【発明を実施するための最良の形態】
【００１２】
本発明の実施の形態を、好ましい実施例により図１〜図１８を用いて説明する。
【００１３】
図１は、実施例のヘッドホン５０，５０Ｍの全体外観図である。
図１（ａ）に示すように、この実施例のヘッドホン５０は、左耳用のスピーカ部１Ｌと、右耳用のスピーカ部１Ｒと、左右のスピーカ部１Ｌ，２Ｒのそれぞれから延出するコード２Ｌ，２Ｒと、各コード２Ｌ，２Ｒを連結する連結部３と、外部の再生機器に接続するためのプラグ５と、連結部３とプラグ部５とをつなぐメインコード４と、を有している。
そして、プラグ５が再生装置などに接続された際に、その装置からの音声信号は、プラグ５，メインコード４，及び連結部３を介し、Ｌチャネルの音声信号はコード２Ｌを介してスピーカ部１Ｌに供給され、Ｒチャネルの音声信号はコード２Ｒを介してスピーカ部１Ｒに供給され、各スピーカ部１Ｌ，２Ｒから音声として放出される。
【００１４】
本発明のヘッドホンとしては、このヘッドホン５０のようないわゆるステレオタイプに限らない。
図１（ｂ）に示すように、スピーカ部１と、スピーカ部１から延出するコード２と、外部の音声再生装置に接続するためのプラグ５と、を有するいわゆるモノラルタイプのヘッドホン５０Ｍであってもよい。
また、ヘッドホン５０，５０Ｍに対して、プラグ５などを備えず、無線通信手段を備えて音声信号が外部から無線で供給され得るワイヤレスタイプのヘッドホン（図示せず）であってもよい。
【００１５】
図２は、本発明のヘッドホンの実施例であるヘッドホン５０のスピーカ部１Ｌの外観図である。
図２（ａ）は、スピーカ部１Ｌの正面図である。この正面図において、スピーカ部１Ｌは、左耳に装着した状態として、左方が前頭側、右方が後頭側、上方が頭頂側として示される。
図２（ｂ）は、スピーカ部１Ｌの左側面図である。
図２（ｃ）は、スピーカ部１Ｌの右側面図である。
図２（ｄ）は、スピーカ部１Ｌの天面図である。
図２（ｅ）は、スピーカ部１Ｌの背面図である。
【００１６】
図３は、図２（ｅ）におけるＳ１−Ｓ１断面図である。
図４は、詳細を後述するハウジング６の外観斜視図である。
図５は、詳細を後述するブッシング８の外観斜視図である。
図６は、詳細を後述するユニットカバー９の外観斜視図である。
図７は、詳細を後述するイヤーパッド１０の外観斜視図である。
図８は、詳細を後述するイヤーパッド１０の断面（スライス）図である。
【００１７】
まず、上記の図２〜図８を用いて、このスピーカ部１Ｌの構造について説明する。
スピーカ部１Ｒの構造は、このスピーカ部１Ｌの構造に対して左右対称としたものであるので、ここでは代表としてスピーカ部１Ｌについて詳述する。
【００１８】
このスピーカ部１Ｌは、概ね円錐台状で中空の基部６ｋ及びその大径側に設けられた環状部６ｋｊを有して形成されたハウジング６（図３において断面に右上がりハッチングを付した部材）と、そのハウジング６の環状部６ｋｊの開口部６ａにその開口部６ａを塞ぐように取り付けられ、電気信号を音声に変換する扁平円筒状のスピーカユニット７（図２には図示せず。図３においては網点を付した部材）と、ハウジング６の小径側の開口部６ｂに取り付けられたブッシング８（図３において断面に左上がりハッチングを付した部材）と、スピーカユニット７を覆うようにハウジング６に取り付けられたユニットカバー９と、柔軟性を有して概ねリング状に形成され、ハウジング６の外周部に取り付けられたイヤーパッド１０と、を備えている。
【００１９】
また、ハウジング６からは、図３には不図示のコード２Ｌが外部に引き出されている。コード２Ｌには、スピーカユニット７と接続された電線（不図示）が通されており、このコード２Ｌに通された電線を介して、外部の再生装置からの音声信号がスピーカユニット７に供給される。
【００２０】
次に、各部材について詳細を説明する。
【００２１】
ハウジング６は、ＡＢＳ（アクリロニトリル・ブタジエン・スチレン）樹脂などの樹脂を射出成形して形成される。
ハウジング６は、図３及び図４に示され、また上述したように、概ね円錐台状で中空の基部６ｋ及びその大径側に設けられた環状部６ｋｊを有して形成されている。
【００２２】
詳しく説明すると、環状部６ｋｊにおける略円形の開口部６ａの端面を含む面と、小径側の略円形の開口部６ｂにおける端面を含む面と、が非平行とされている。
すなわち、開口部６ａの中心軸ＣＬ１と開口部６ｂの中心軸ＣＬ２とが一致せず、かつ平行でもない形状とされている。
【００２３】
更に詳しくは、大径側の中心軸ＣＬ１は、概ねスピーカユニット７の駆動軸ＳＰＺと一致しており、小径側の中心軸ＣＬ２は、図２（ｅ）に示すように、大径側の中心軸ＣＬ１に対し、このスピーカ部１Ｌを左耳に装着した状態において頭部の後方側に偏倚して位置する。
【００２４】
このような大径側と小径側とが非平行で偏心した略円錐台状の基部６ｋには、そのハウジング６の内部の空間（バックキャビティＢＣ）と外部の空間とを連通する貫通孔６ｃが設けられている。
この貫通孔６ｃは、小径側の開口部６ｂの近傍に設けられている。
また、この実施例において、貫通孔６ｃは直径０．４ｍｍとされ、３つ設けられている。
また、３つの貫通孔６は、正面図である図２（ａ）において、中心ＣＬ２に対する円周上に配置されており、互いに略等間隔とされている。
【００２５】
ハウジング６における基部６ｋと環状部６ｋｊとの境界付近の外周面６ｄには、円弧状に凹部６ｄ１が形成されており、イヤーパッド１０との嵌合に供される（詳細は後述する）。
この凹部６ｄ１は、図２（ｄ）に示すように、大径側の中心ＣＬ１に直交する平面ＰＬ１に対して、所定の角度θ２で傾斜する平面ＰＬ２に沿って設けられている。この実施例において、この角度θ２は１３°とされている。
【００２６】
図４において、環状部６ｋｊにおける外周面の先端側には、径方向外側に突出する突出部６ｋｊ１が周方向に離隔した位置に複数設けられている。この実施例では、約１８０°離隔した位置に一対設けられている。
この突出部６ｋｊ１は、ユニットカバー９との嵌合に供される。
【００２７】
図３に示すスピーカユニット７は、金属または樹脂で形成された筐体７ａと、その内部に収納された振動板及びそれを駆動する駆動部と、を備えて扁平の円筒状に形成されている。
筐体７ａの一端側にはフランジ７ｃが設けられている。
また、スピーカユニット７の他端側の面は、放音面７ｂとされ、振動板からの音声がこの放音面７ｂから外部に放出される。
【００２８】
図３及び図５に示されるように、ブッシング８は、いわゆるエラストマー材で中空形状にて形成されている。このブッシング８は、ハウジング６の内側に嵌り込む環状の嵌合鍔部８ａを備えており、この嵌合鍔部８ａがハウジング６に強嵌合で嵌め込まれることでハウジング６に取り付けられている。
また、嵌合鍔部８ａにおいて、ハウジング６の貫通孔６ｃに対応して開口部８ａ１が形成されており、この開口部８ａ１と貫通孔６ｃとを介して、スピーカ部１Ｌの内部の空間であるバックキャビティＢＣと外部の空間とが連結されている。
【００２９】
このブッシング８は、ハウジング６に取り付けられた状態で中心軸ＣＬ２に対して所定の角度に折れ曲がって、中心軸ＣＬ２から離れる方向に延出するコード延出部８ｂを有している（図２参照）。
具体的には、コード延出部８ｂは、図２（ｂ）において、中心軸ＣＬ２と角度θ４をなす中心軸ＣＬ３に沿って延出する。例えばθ４は約８０°〜約１００°に設定される。
【００３０】
ユニットカバー９は、ＡＢＳ樹脂などの樹脂を射出成形して形成されている。
このユニットカバー９は、スピーカユニット７の保護などのために設けられている。
ユニットカバー９は、図２，図３，及び図６に示されるように、スピーカユニット７の放音面７ｂから放出された音を通過させる複数の放音孔９ａ（図３には図示せず）が形成された円盤状の基部９ｋと、その基部９ｋの縁部から円環状に立ち上げられた周壁部９ｂとを有している。
基部９ｋの外側となる面は放音面９ｋ１である。この放音面９ｋ１は、概ね平面に形成されている。
【００３１】
周壁部９ｂの外周面には、周溝である環状の凹部９ｂ１が形成されている。また、この凹部９ｂ１には、その底面からさらに凹んだ深凹部９ｂ１ａが周方向に離隔して複数設けられている（図６参照）。例えば、概ね１８０°離隔して２箇所設けられている。
これらの凹部９ｂ１及び深凹部９ｂ１ａは、イヤーパッド１０との嵌合に供される（詳細は後述する）。
【００３２】
また、周壁部９ｂの外周面における、凹部９ｂ１よりも先端側には、細長形状の開口部９ｂ３が、周方向に離隔して複数箇所設けられている。
この実施例では、約１８０°離隔して１対設けられている。
この開口部９ｂ３には、ハウジング６の環状部６ｋｊに設けられた突出部６ｋｊ１が嵌合する。
【００３３】
一方、周壁部９ｂの内面には、奥側が小径となる径差により段部９ｂ２が形成されている。
スピーカユニット７は、この段部９ｂ２とハウジング６の大径側の開口部６ａの先端面６ｋｊ２との間にそのフランジ７ｃが挟み込まれることでスピーカ部１Ｌに、固定されている。
【００３４】
イヤーパッド１０は、シリコンゴムなどの柔軟材により形成される。
外観形状は、概ね上面と底面とが非平行な卵円錐台形状を呈し、その上面及び底面それぞれに開口部を有して中空に形成されている。
【００３５】
そのイヤーパッド１０について、図２，図３，及び図７を用いて具体的に説明する。
【００３６】
図２（ｅ）は、イヤーパッド１０の底面１０ｂｔｍ側を示す図となっている。
イヤーパッド１０は、この底面１０ｂｔｍ側から見た形が略鶏卵形状とされている。詳しく換言するならば、放音面９ｋ１に概ね平行な平面への投影形状が略鶏卵形状とされている。
【００３７】
イヤーパッド１０は、この図（ｅ）及び図７からわかるように、底面１０ｂｔｍ側に、中心軸ＣＬ１を中心とする円形の開口部１０ａを有している。また、図２（ｄ）及び図７からわかるように、天面１０ｔｐ側に、中心軸ＣＬ５を中心とする略円形の開口部１０ｅを有している。
そして、底面１０ｂｔｍと天面１０ｔｐとは、中心軸ＣＬ１と中心軸ＣＬ５とが同じ軸にならないよう（すなわち非同軸に）形成されている。
また、このイヤーパッド１０は、互いに直交する軸Ｃｌ及びＣ２を図２（ｅ）のように設定した際に、軸Ｃ２に対する一方側〔図２（ｅ）における右方側〕に開口部１０ａと同軸の円弧状に形成された円弧状部１０ｂと、他方側〔図２（ｅ）における左方側〕に軸Ｃ１に沿う方向に突出して形成された突出部１０ｃを有している。ここで軸Ｃ１は、開口部１０ａの中心ＣＬ１と突出部１０ｃの頂点１０ｐとを繋ぐ線であり、突出部１０ｃを概ね２分する中心線である。
【００３８】
軸Ｃ１は、図２（ｅ）に示すように、ブッシング８のコード延出部８ｂの延出方向である中心軸ＣＬ３とのなす角度θ３が約７１°（突出部１０ｃの突出側を基準とすると１８０°−７１°＝１０９°＝θ５）となるように設定されている。
換言するならば、ブッシング８は、コード２Ｌを所定方向へ引き出すためにその所定方向に延在するコード延出部８ｂを有し、軸Ｃ１と軸Ｃ２との交点（中心軸ＣＬ１と一致）と突出部１０ｃの先端とを繋ぐ線分Ｃ１Ｂを基準（０°）にしたときに、中心線ＣＬ３のうちのコード延出部８ｂを貫く部分の線分ＣＬ３Ｂが、線分Ｃ１Ｂに対して概ね直交すると共に突出部１０ｃから離れる方向に９０°を越えた角度をなすように形成されている。
【００３９】
この角度は、１８０°−θ３＝θ５で示され、後述する耳介Ｅの珠間切痕Ｅ１の位置に関連して個人差はあるものの、概ね９０°程度かそれを少し越える程度に設定すると、多くの使用者の耳介に良好に適合する。より望ましくは、９０°＜θ５＜１１５°である。
【００４０】
円弧状部１０ｂは、外形が必ずしも真円の円弧で形成されてなくてもよい。楕円の一部やそれ以外の曲率が連続して変化する曲線状に形成されていてもよい。
【００４１】
図３において、開口部１０ａの突出部１０ｃ側における縁部には、中心軸ＣＬ１方向に立ち上がる周壁部１０ｄが形成されている。
さらに、この周壁部１０ｄには、内方に環状に突出する周突条である環状凸部１０ｄ１が形成されている。
この環状凸部１０ｄ１は、円弧状部１０ｂ側にも延在して開口部１０ａのほぼ全周にわたり形成されている。
【００４２】
また、この環状凸部１０ｄ１には、さらに内方に突出する高凸部１０ｄ２が、周方向に離隔して複数箇所に設けられている（図７参照）。例えば、概ね１８０°離隔して２箇所設けられている。
この高凸部１０ｄ２の周方向位置は、イヤーパッド１０が係合するユニットカバー９における深凹部９ｂ１ａの周方向位置と対応しており、両者が嵌合する際の周方向の位置決め構造として機能する。
【００４３】
イヤーパッド１０の天面１０ｔｐは、底面１０ｂｔｍを含む平面ＰＬ１に対して角度θ２となる平面ＰＬ２上に設定されている。
そして、天面１０ｔｐには、ほぼ円形の開口部１０ｅが形成されている。
この開口部１０ｅの縁部周辺は、図３に示すように、平面ＰＬ２上に延在する鍔部１０ｅ１とされている。
そして、この鍔部１０ｅ１は、ハウジング６に形成された凹部６ｄ１と嵌合するように形成されている。
【００４４】
イヤーパッド１０は、肉厚が外形サイズに対して充分に薄く形成される。
この外形サイズは、例えば、図２（ｃ）に示すφｎが１７ｍｍとされ、肉厚が約１ｍｍとされる。
円弧状部１０ｂにおいては、その径方向厚さが肉厚の２倍程度なのでほとんど空間なく形成される。
一方、突出部１０ｃにおいては、その径方向厚さが肉厚に比べて充分に厚いので、内側に空間Ｓが形成される。
【００４５】
この空間Ｓについて、図８を用いて説明する。
【００４６】
図８は、イヤーパッド１０における図３のＳ２−Ｓ２断面図であり、厚さ方向に薄くスライスした状態を示している。具体的には、図３における環状凸部１０ｄ１のすぐ上側での断面である。
【００４７】
図８に示すように、円弧状部１０ｂは、その径方向の肉厚が概ね一定の肉厚Ａで形成される。
一方、突出部１０ｃは、開口部１０ａから距離Ｌ１だけ突出して形成されている。
この距離Ｌ１は、肉厚Ａよりも充分に厚く（大きく）く、突出部１０ｃの内部には空間Ｓが形成される。
【００４８】
環状凸部１０ｄ１を有して空間Ｓを形成する内壁部１０ｃ１の径方向の肉厚Ｂと、外部から視認される外面を有して空間Ｓを形成する外壁部１０ｃ２の径方向の肉厚Ｃとは、いずれも肉厚Ａよりも薄く設定されている。
また、肉厚Ｃは肉厚Ｂよりもさらに薄く設定されている。
【００４９】
具体的寸法例としては、Ｌ１＝７．６ｍｍ，肉厚Ａ＝２．２ｍｍ，肉厚Ｂ＝１．３ｍｍ，肉厚Ｃ＝０．８ｍｍである。
【００５０】
従って、外壁部１０ｃ２は、肉厚が比較的薄く、内側が空間Ｓとなっていることから、外部から押し込み力に対して容易に内方に変形することができる。
すなわち、突出部１０ｃは柔軟性を有し、その柔軟性も、単なる材料の柔軟さだけではなく、内部に空間Ｓを擁しての柔軟性であるので、任意の形状に変形することができるという効果を発揮する。
【００５１】
次に、上述した各部材の組み立てについて図３及び図９を用いて説明する。
図９は分解斜視図である。また、この組み立ての説明においてコード２Ｌの説明は省略してある。
【００５２】
まず、ブッシング８をハウジング６に取り付ける。
具体的には、ブッシング８の嵌合鍔部８ａを変形させながら、ハウジング６の開口部６ｂに押し込み挿入して嵌合させる。
【００５３】
その後、ハウジング６の大径側の開口部６ａ側から接着剤を塗布して両者を固着する。
【００５４】
スピーカユニット７は、接着剤を用いてユニットカバー９に予め固定しておく。
この固定においては、スピーカユニット７のフランジ７ｃがユニットカバー９の段部９ｂ２に当接して、中心軸ＣＬ１方向の位置決めがされる。
【００５５】
スピーカユニット７が固定されたユニットカバー９とハウジング６とを、ユニットカバー９側の開口部９ｂ３とハウジング６側の突出部６ｋｊ１とのいわゆるスナップフィットによる係合により一体化する。
その際に、ハウジング６の環状部６ｋｊの先端面６ｋｊ２がスピーカユニット７に当接し、スピーカユニット７は、先端面６ｋｊ２とユニットカバー９の段部９ｂ２とにより強固に挟まれて支持される。
【００５６】
次に、ブッシング８，ハウジング６，及びユニットカバー９を一体化したハウジング構造体ＫＴに対して、イヤーパッド１０を嵌め込むように装着する。このハウジング構造体ＫＴについては、その天面図〔図２（ｄ）に対応〕を図１０に示す。このハウジング構造体ＫＴは、内部にスピーカユニット７を内部に収めた筐体である。
【００５７】
この嵌め込みの装着について、具体的には、イヤーパッド１０の開口部１０ｅにおける鍔部１０ｅ１を凹部６ｄ１に嵌め込み、イヤーパッド１０の環状凸部１０ｄ１を凹部９ｂ１に嵌め込んで一体化する。
その際、上述したように、高凸部１０ｄ２を深凹部９ｂ１ａに係合させることで両者の周方向の位置決めがなされる。
【００５８】
ここで、上述した実施例のヘッドホン５０の頭部への装着状態について、スピーカ部１Ｌの左耳への装着状態を代表として図１１を用いて説明する。スピーカ部１Ｒの右耳への装着状態は、このスピーカ部１Ｌの左耳への装着状態に対して左右対称となる。
【００５９】
図１１は、左耳の耳介Ｅとそれに装着したスピーカ部１Ｌとを示している。
【００６０】
スピーカ部１Ｌは、ブッシング８のコード延出部８ｂが、耳の珠間切痕Ｅ１に入り込み、イヤーパッド１０の円弧状部１０ｂ側が耳珠Ｅ２の内側に入りこみ、
突出部１０ｃが耳珠Ｅ２に対向する耳介Ｅの内壁Ｅ３に当接するように装着される。
具体的には、円弧状部１０ｂ及びコード延出部８ｂで概ねの位置決めがされ、突出部１０ｃが内壁Ｅ３に弾力をもって当接することで、耳介Ｅからの外れ難さが発揮される。
【００６１】
上述のように、イヤーパッド１０は、柔軟性を有する材料、例えばシリコンゴムで形成されているので、柔らかく耳介に当接して良好な装着感が得られる。
また、コード円出部８ｂもエラストマー材で形成されているので、耳への当たり具合は良好である。
【００６２】
そして、この実施例において、突出部１０ｃは、柔軟性を有する材料で形成されているばかりでなく、内部に空間Ｓを有している。
従って、内壁Ｅ３に対し、その内壁Ｅ３の形状に沿って容易に変形し、内壁Ｅ３の当接範囲に対して適度な、かつ均一な反発力で押圧する。
【００６３】
また、耳珠Ｅ２から内壁Ｅ３までの距離は、使用者毎に個体差があって異なるが、空間Ｓを有することで突出部１０ｃの変形範囲は極めて広く、また、変形量も大きく、その個体差を吸収して使用者の耳介の形状によらず、良好な装着感を得ることができる。
【００６４】
一方、外耳道Ｅ４の出口位置は、珠間切痕に入り込んだコード延出部８ｂの中心軸ＣＬ３（図２参照）よりも耳珠Ｅ２側にある。
これに対応して、実施例のスピーカ部１Ｌにおけるスピーカユニット７の駆動軸ＳＰＺも、中心軸ＣＬ１よりも円弧状部１０ｂ側に偏った位置に設定してある。
【００６５】
スピーカ部１Ｌを耳介Ｅに装着した状態で、耳珠Ｅ２がハウジング６の基部６ｋの一部を覆うようになる。
耳珠Ｅ２の形状や大きさには個体差があるので、この耳珠Ｅ２により貫通孔６ｃが塞がれることがないよう、貫通孔６ｃは、上述したように、小径側の開口部６ｂの近傍、すなわち、外形側から充分に遠くブッシング６側に偏った位置に設けられている。
さらに、図１１に示されるように、この実施例においては、貫通孔６ｃは、耳珠Ｅ２から径方向に離れた位置に設けられると共に、周方向においても、反時計回り方向に離隔した位置に設けられている。
【００６６】
次に、図１２を用いて、装着状態における耳介の深さ方向について説明する。
図１２は、左耳に装着した際に、スピーカ部１Ｌの前後方向の外形が概ね最大となる位置で切断し、頭部の上方側から見た断面図である。
【００６７】
この図１２において、右方が頭部前方方向となる。イヤーパッド１０の円弧状部１０ｂは、耳珠Ｅ２の内側に入り込み位置決めされる。
一方、突出部１０ｃ側は、内壁Ｅ３に当接し、その内壁Ｅ３の形状に沿って内方側に変形する。この変形により弾性反発力ｆが発生し、内壁Ｅ３を押圧する。
この弾性反発力ｆの反力ｆｒにより、円弧状部１０ｂが耳珠Ｅ２の内側壁を押圧するので、このスピーカ部１Ｌは、より一層良好に耳介Ｅ内に支持される。
【００６８】
ここで、耳珠Ｅ２の内側の空間Ｅ２ｓは、比較的狭い隙間となっている。
これに対して、内壁Ｅ３は、頭部側から立ち上がる（図１２の上方向に）壁である。この点に着目して、実施例のスピーカ部１Ｌは、イヤーパッド１０における円弧状部１０ｂ側の厚さＴｂと、突出部１０ｃ側の厚さＴｃとを異なる厚さとしている。
具体的には、Ｔｂ＜Ｔｃ  としてある。
【００６９】
これについて、外観図である図１３及び図１４を用いて説明する。
図１３は、図１２と同じ向きでの外観図（天面図に相当）であり、図１４は、図１３の右上方から見た斜視図である。
【００７０】
図１３に示されるように、スピーカ部１Ｌにおける柔軟性を有して形成されている部分であるイヤーパッド１０は、ユニットカバー９の放音面９ｋ１に対する円弧状部１０ｂ側の厚さ方向（高さ方向）端部１０ｂｔまでの距離をＴｂとし、突出部１０ｃ側の厚さ方向（高さ方向）端部１０ｃｔまでの距離をＴｃとした際に、Ｔｂ＜Ｔｃ  としてある。
両端部１０ｂｔ，１０ｃｔ間は、この天面図において略直線で示される境界線６Ｌで連結されている。この境界線６Ｌは凹部６ｄ１の形状に対応する。
【００７１】
図２（ｄ）を用いた上述の説明のように、放音面９ｋ１を含む面を平面ＰＬ１とし、境界線６Ｌを含む面を平面ＰＬ２とし、両平面ＰＬ１，ＰＬ２のなす角度をθ２とすると、θ２＝１３°としてある。
【００７２】
図１４は、耳珠Ｅ３に覆われる範囲Ｅ３Ｈ（斜線部）と、貫通孔６ｃとの位置関係を説明する図である。
すなわち、突出部１０ｃ側は、頭部に対して立ち上がる内壁Ｅ３に対して良好な弾性反発力を得るために、イヤーパッド１０ｃの厚さ（高さ）を大きくとっているので、厚さ方向端部１０ｃｔの位置がブッシング９に接近し、ハウジング６に貫通孔６ｃを設ける範囲が狭くなっている。
【００７３】
そこで、厚さ方向端部１０ｂｔの位置が低く設定され、ハウジング６の外周面６ｄが外部に露出している円弧状部１０ｂ側に貫通孔６ｃを形成してある。
その位置は、具体的には、外周面６ｄにおけるブッシング９の近傍であり、突出部１０ｃの突出方向である軸Ｃ１を含むと共に、放音面９ｋ１を含む平面ＰＬ１に対して直交する面ＰＬ３、に対して図１４の矢印Ｄ１３方向側に偏った位置である。
【００７４】
この構成により、耳介への良好な弾力性を得るため、突出部１０ｃ内に形成する空間Ｓの容積を大きくとりつつ、音響特性をより良好にするためにバックキャビティＢＣと外部空間との間で、空気を適度な流通抵抗を付加して連結する貫通孔６ｃも設けることが可能になっている。
【００７５】
上述したイヤーパッド１０は、ブッシング８，ハウジング６，及びユニットカバー９が一体化されたハウジング構造体ＫＴに対して、嵌め込むように装着するが、単に嵌着させただけでもよく、接着剤で強固に固定してもよい。
【００７６】
＜変形例＞
次に、ヘッドホン５０の変形例であるヘッドホン５１について図１５乃至図１７を用いて説明する。
このヘッドホン５１は、上述したハウジング構造体ＫＴ（筐体ＫＴ）に対してイヤーパッド１０との係合部分の形状が異なるハウジング構造体ＫＴ１（筐体ＫＴ１）有するものである。このハウジング構造体ＫＴ１は、内部にスピーカユニット７を内部に収めた筐体である。
このヘッドホン５１は、ハウジング構造体ＫＴ１以外は共通であるので、以下、ハウジング構造体ＫＴとハウジング構造体ＫＴ１との違いと主に説明する。
【００７７】
イヤーパッド１０は、使用者が容易に取り外して交換を可能としてもよいものであるが、ハウジング構造体ＫＴの替わりにハウジング構造体ＫＴ１を採用すると、イヤーパッド１０の取り外しを可能とする場合に特に効果を発揮する。
【００７８】
使用者がイヤーパッド１０を交換可能とした場合は、イヤーパッド１０を外して洗うことができる、イヤーパッド１０が損傷した際に容易に交換することができる、耳介の形状や大きさが一般的な個体差の範囲を超える場合などに、突出部１０ｃの形状やサイズが異なるものと交換してより良好なフィット感を得ることができる、イヤーパッド１０に色や質感などが異なるバリエーション品を提供し、その日の気分や着衣とのコーディネートなど、使用者の好みのイヤーパッドに容易に付け替えることができる、などの効果が得られる。
【００７９】
このように、イヤーパッド１０を接着剤などで固定せず、積極的に着脱自在とした場合、イヤーパッド１０とそれが嵌め込まれるハウジング構造体ＫＴとの係合を、通常の使用状態では容易に外れないようにしておく必要がある。
【００８０】
上述のように、イヤーパッド１０は、突出部１０ｃは、その内側に空間Ｓを有するよう略袋状になっており、また、図８に示すように、構造体Ｋ１と係合する環状凸部１０ｄ１の内、内壁部１０ｃ１の部分の径方向の肉厚Ｂは、他の部分よりも薄くなっている。
【００８１】
このため、この突出部１０ｃの係合を、ブッシング８側から外す方向（図３における矢印Ｄ４方向）に外力が付与された際は、イヤーパッド１０の鍔部１０ｅ１と凹部６ｄ１との係合部分で力を受けられること、また、イヤーパッド１０の突出部１０ｃはブッシング８側が傾斜面になっていて力を付与し難いこと、から、使用状態において比較的外れ難いものの、放音面９ｋ１側から外す方向（図３における矢印Ｄ５方向）の外力が付与された際には、鍔部１０ｅ１と凹部７ｄ１との係合部分ではその力をほとんど受けられないこと、また、底面１０ｂｔｍが平面状であって力がかけられ易いこと、から、内壁部１０ｃ１部分の係合が使用状態において外れ易い。
【００８２】
そこで、図１７に示すように、ハウジング構造体ＫＴ１は、ハウジング構造体ＫＴよりも、内壁部１０ｃ１における周突条である環状凸部１０ｄ１と周溝である凹部９ｂ１（１９ｂ１）とにおける、少なくとも放音面９ｋ１（１９ｋ１）から遠い側の係合となる径方向の係合長さを、より長く（深く）する形状としてある。すなわち、環状凸部１０ｄ１の凹部９ｂ１（１９ｂ１）におけるブッシング側の側面９ｂ１ｓ（１９ｂ１ｓ）との径方向の当接長さをより長くしてある。
もちろん、放音面９ｋ１（１９ｋ１）側の径方向の当接長さを長くしても良く、この場合、図３における矢印Ｄ４方向に付与される外力に対してもより外れ難くすることができる。
以下、この当接長さについても便宜的に係合深さとも称する。
【００８３】
これについて図１５〜図１７を用いて詳述する。
【００８４】
図１５は、ハウジング構造体ＫＴ１を示す天面図〔図２（ｄ）に対応〕であり、ハウジング構造体ＫＴの図１０に対応する図である。
【００８５】
図１６は、ハウジング構造体ＫＴ１を図１５の下方側から見た模式図である。
図１７は、ハウジング構造体ＫＴ１を備えたスピーカ部１１Ｌについて示している。
【００８６】
ハウジング構造体ＫＴ１は、ブッシング８とハウジング６とユニットカバー１９とが組み合わされている。ブッシング８及びハウジング６は、ハウジング構造体ＫＴと共通である。
【００８７】
ユニットカバー１９は、ユニットカバー９に対して、周壁部９ｂの図１５の左方側に肉盛り部１９ｎが設けられたものである。図１５における破線Ｈｎは、ハウジング構造体ＫＴで用いられるユニットカバー９の外形線であり、参考として記載してある。
【００８８】
図１６に示されるように、肉盛り部１９ｎは、概ね三日月状に突出して設けられている。
【００８９】
この図１５及び図１６に示されるように、ハウジング構造体ＫＴにおける係合深さ（図１０も参照）及びハウジング構造体ＫＴ１における肉盛り部１９ｎ以外での係合深さである深さＫに対して、ハウジング構造体ＫＴ１における肉盛り部１９ｎは、凹部１０ｂ１における側面１９ｂ１ｓ最大でＫ＋Ｋａｄｄの係合深さ（当接範囲）Ｋ１を有する。すなわち、Ｋ１＝Ｋ＋Ｋａｄｄ＞Ｋ  である。
具体例として、Ｋ＝０．４ｍｍ，Ｋａｄｄ＝１．３ｍｍ  である。
【００９０】
このハウジング構造体ＫＴ１にイヤーパッド１０が嵌着した状態の断面図を図１７に示す。
【００９１】
図１７において、イヤーパッド１０は、その内壁部１０ｃ１が、肉盛り部１９ｎに対して、他の引っかかり量Ｋよりも多い最大でＫ＋Ｋａｄｄの引っかかり量Ｋ１で係合するので、突出部１０ｃが、その内部に空間Ｓを有して変形容易で柔軟に形成されていても、矢印Ｄ５方向に付与される外力の付与などで容易に外れることはない。
【００９２】
肉盛り部１９ｎの形状は、この図１５〜図１７のものに限定されない。
他の係合部（突出部以外の係合部）の係合深さＫよりも、突出部１０ｃの係合深さＫ１が大きくなるようにされていればよい。
【００９３】
さらに、イヤーパッド１０を使用者が交換可能とした場合に提供される交換用のイヤーパッド１０の形状例を図１８に示す。
【００９４】
図１８は、図１７に対応した図であり、イヤーパッド１０の突出部１０ｃの突出量を異ならせた３つの例を示している。
具体的には、一点鎖線で示した最も突出量の大きい例α１、波線で示した最も突出量の小さい例α２、実線で示した中間の突出量となる例α３である。
【００９５】
例α１は、耳介の大きめの人に好適であり、例α３は耳介サイズが標準的な人、例α２は、耳介の小さめの人に好適であり、より良好に、快適にヘッドホン５１のスピーカ部１Ｌ，１Ｒを各耳に装着することができる。
【００９６】
以上詳述したスピーカ部１Ｌの構造などは、左右対称のスピーカ部１Ｒに同じく適用される。以下、スピーカ部１Ｌ側で付した符号を同様にスピーカ部１Ｒにも適用する。
【００９７】
すなわち、実施例のヘッドホン５０は、スピーカ部１Ｌ，１Ｒのイヤーパッド１０における突出部１０ｃが柔軟性を有する材料で形成され、内部に空間Ｓを有するように形成されているので、それぞれ左右の耳介Ｅに装着した際に、その突出部１０が耳介Ｅの内壁Ｅ３の形状に沿って柔軟に変形し、その内壁Ｅ３を適度な弾性反発力ｆで付勢する。そして、その反力ｆｒが突出部１０の反対側の耳珠Ｅ２内側へ入り込んだ円弧状部１０ｂの耳珠Ｅ２への付勢力となるので、スピーカ部１Ｌ，１Ｒは、耳介Ｅの形状や大きさの個人差によらず、極めて良好に耳介内に支持される。
【００９８】
また、イヤーパッド１０をハウジング６などで構成されたハウジング構成体に対して、使用者が交換可能な係合形態とした際に、突出部１０ｃ側の径方向の係合深さＫ１を、突出部以外となる他の部位の係合深さＫよりも深くしたことにより、このイヤーパッド１０は、交換が可能でありつつ、使用時において容易に外れ難いものとなっている。
この係合深さＫ１は、少なくとも凹凸係合におけるブッシング８側（放音面９ｋ１の反対側）の当接範囲を広くすることで実行される。もちろん、放音面９ｋ１側の当接範囲も広くすることは好ましい。
【００９９】
本発明の実施例は、上述した構成及び手順に限定されるものではなく、本発明の要旨を逸脱しない範囲において変形例としてもよいのは言うまでもない。
【０１００】
イヤーパッド１０とユニットカバー９，１９との係合構造について、実施例ではイヤーパッド１０側を凸、ユニットカバー側を凹とした構造について説明しているが、その逆のイヤーパッド１０側を凹、ユニットカバー９，１９側を凸とした構造であってもよい。
【０１０１】
実施例においては、ハウジング構造体ＫＴ，ＫＴ１を、ブッシング８，ハウジング６，及びユニットカバー９とで構成した例を示したが、これに限るものではなく、スピーカユニット７を内部に収容する筐体であればよい。
【０１０２】
実施例において、筐体であるハウジング構造体ＫＴ，ＫＴ１は、ＡＢＳ樹脂などの樹脂の成形により形成されているものとして説明したが、スピーカユニット７を支持できる程度の剛性があれば足りるものである。少なくとも、イヤーパッド１０は、ハウジング構造体ＫＴ，ＫＴ１より柔軟性を有する材料で形成されている。
ユニットカバー９の放音面９ｋ１は、完全にフラットな平坦面でなくてもよい。図３においては、わずかに外方に凸となる緩やかな曲面となっている。
このような場合は、上述した放音面９ｋ１を含む面を平面ＰＬ１を、例えば放音面９ｋ１の周縁を含む平面として、あるいは、最も突出した頂部を含み駆動軸ＳＰＺに直交する平面として定義することができる。
【図面の簡単な説明】
【０１０３】
【図１】本発明のヘッドホンの実施例を示す外観図である。
【図２】本発明のヘッドホンの実施例におけるスピーカ部の外観図である。
【図３】本発明のヘッドホンの実施例におけるスピーカ部の構造を説明する断面図である。
【図４】本発明のヘッドホンの実施例におけるスピーカ部のハウジングを示す斜視図である。
【図５】本発明のヘッドホンの実施例におけるスピーカ部のブッシングを示す斜視図である。
【図６】本発明のヘッドホンの実施例におけるユニットカバーを示す斜視図である。
【図７】本発明のヘッドホンの実施例におけるイヤーパッドを示す斜視図である。
【図８】本発明のヘッドホンの実施例におけるイヤーパッドを説明するための断面（スライス）図である。
【図９】本発明のヘッドホンの実施例におけるスピーカ部の組み立て方法を説明する分解斜視図である。
【図１０】本発明のヘッドホンの実施例における組み立て構造体を説明する図である。
【図１１】本発明のヘッドホンの実施例を耳に装着した状態を説明する図である。
【図１２】本発明のヘッドホンの実施例を耳に装着した状態を説明する模式的断面図である。
【図１３】本発明のヘッドホンの実施例の特徴を説明するための図である。
【図１４】本発明のヘッドホンの実施例の特徴を説明するための他の図である。
【図１５】本発明のヘッドホンにおける実施例の変形例を説明するための図である。
【図１６】本発明のヘッドホンにおける実施例の変形例を説明するための平面図である。
【図１７】本発明のヘッドホンにおける実施例の変形例を説明するための断面図である。
【図１８】本発明のヘッドホンにおける実施例に用いるイヤーパッドの変形例について説明する図である。
【符号の説明】
【０１０４】
１，１Ｌ，１Ｒ，１１Ｌ  スピーカ部
２Ｌ，２Ｒ  コード
３  連結部
４  メインコード
５  プラグ
６  ハウジング
６ａ  （大径側）開口部
６ｂ  （小径側）開口部
６ｃ  貫通孔
６ｄ  外周面
６ｄ１  凹部
６ｋ  基部
６ｋｊ  環状部
６ｋｊ１  突出部
７  スピーカユニット
７ａ  筐体
７ｂ  放音面
７ｃ  フランジ
８  ブッシング
８ａ  嵌合鍔部
８ｂ  コード延出部
９，１９  ユニットカバー
９ａ  放音孔
９ｂ  周壁部
９ｂ１  凹部
９ｂ１ａ  深凹部
９ｂ１ｓ  側面
９ｂ２  段部
９ｂ３  開口部
９ｋ  基部
９ｋ１  放音面
１０  イヤーパッド
１０ａ  開口部
１０ｂ  円弧状部
１０ｃ  突出部
１０ｃ１  内壁部
１０ｃ２  外壁部
１０ｄ  周壁部
１０ｄ１  環状凸部
１０ｄ２  高凸部
１０ｅ  開口部
１０ｅ１  鍔部
１０ｂｔｍ  底面
１０ｐ  頂点
１０ｔｐ  天面
１９ｎ  肉盛り部
５０  ヘッドホン
５０Ｍ  ヘッドホン（モノラルタイプ）
Ａ，Ｂ，Ｃ  （径方向の）厚さ
ＢＣ  バックキャビティ
ＣＬ１，ＣＬ２，ＣＬ３，ＣＬ５  中心軸
Ｅ  耳介
Ｅ１  珠間切痕
Ｅ２  耳珠
Ｅ２ｓ  空間
Ｅ３  内壁
Ｅ４  外耳道
ｆ  弾性反発力
ｆｒ  反力
ＫＴ  構造体
Ｋ，Ｋ１  係合深さ
Ｓ  空間
ＳＰＺ  （スピーカユニットの）駆動軸
Ｔｂ，Ｔｃ  厚さ
【図１】
0005256852.tif 000002
【図３】
0005256852.tif 000003
【図４】
0005256852.tif 000004
【図５】
0005256852.tif 000005
【図６】
0005256852.tif 000006
【図７】
0005256852.tif 000007
【図８】
0005256852.tif 000008
【図９】
0005256852.tif 000009
【図１０】
0005256852.tif 000010
【図１２】
0005256852.tif 000011
【図１３】
0005256852.tif 000012
【図１４】
0005256852.tif 000013
【図１５】
0005256852.tif 000014
【図１６】
0005256852.tif 000015
【図１７】
0005256852.tif 000016
【図１８】
0005256852.tif 000017
【図２】
0005256852.tif 000018
【図１１】
0005256852.tif 000019